(57)【要約】【課題】  一方の装置側で視聴されたテレビジョン番組などのコンテンツデータを複数の面倒な操作を必要とせずに他方の装置側へ移動させることができるコンテンツデータ記録再生システムなどを提供する。【解決手段】  第１の記録再生装置１００に受信されたコンテンツデータを第２の記録再生装置２００の所定の記録領域に移動する際、第１の記録再生装置が、コンテンツデータが第２の記録再生装置で再生された後再びコンテンツデータを第１の記録再生装置へ移動するか否かのいずれかを示すコンテンツ管理情報をコンテンツデータに付加し、第２の記録再生装置がコンテンツデータを再生後、視聴済みの情報をコンテンツ管理情報に付加し、第１の記録再生装置がコンテンツ管理情報に基づき、第２の記録再生装置が有する視聴済みで第１の記録再生装置へ移動するコンテンツデータを第２の記録再生装置から取得する。【選択図】  図１
2006107660.tif 000002
【特許請求の範囲】
【請求項１】
第１の記録再生装置に受信されたコンテンツデータを第２の記録再生装置のあらかじめ決められた所定の記録領域に移動する際、前記第１の記録再生装置が、前記コンテンツデータが前記第２の記録再生装置で再生された後再び、再生された前記コンテンツデータを前記第１の記録再生装置へ移動するか否かのいずれかを示すコンテンツ管理情報を前記コンテンツデータに付加し、
前記第２の記録再生装置が、前記第１の記録再生装置から受信した前記コンテンツデータを所定の時間再生した後、再生後の前記コンテンツデータは視聴済みであることを示す情報を、受信した前記コンテンツ管理情報に付加し、
前記第１の記録再生装置が、前記第２の記録再生装置から受信した視聴済みであることを示す情報が付加された前記コンテンツ管理情報に基づいて、前記第２の記録再生装置に記録されている視聴済み、かつ前記第１の記録再生装置へ移動することを示す情報が付加された前記コンテンツデータを前記第２の記録再生装置から取得するコンテンツデータ記録再生システム。
【請求項２】
第１の記録再生装置に受信されたコンテンツデータを第２の記録再生装置のあらかじめ決められた所定の記録領域に移動する際、前記第１の記録再生装置が、前記コンテンツデータが前記第２の記録再生装置で再生された後再び、再生された前記コンテンツデータを前記第１の記録再生装置へ移動するか否かのいずれかを示すコンテンツ管理情報を前記コンテンツデータに付加するステップと、
前記第２の記録再生装置が、前記第１の記録再生装置から受信した前記コンテンツデータを所定の時間再生した後、再生後の前記コンテンツデータは視聴済みであることを示す情報を、受信した前記コンテンツ管理情報に付加するステップと、
前記第１の記録再生装置が、前記第２の記録再生装置から受信した視聴済みであることを示す情報が付加された前記コンテンツ管理情報に基づいて、前記第２の記録再生装置に記録されている視聴済み、かつ前記第１の記録再生装置へ移動することを示す情報が付加された前記コンテンツデータを前記第２の記録再生装置から取得するステップとを、
有するコンテンツデータ記録再生方法。
【発明の詳細な説明】
【技術分野】
【０００１】
本発明は、テレビジョン番組などのコンテンツデータを受信する第１の記録再生装置と、第１の記録再生装置を介してコンテンツデータを取得する第２の記録再生装置とからなるコンテンツデータ記録再生システム及びコンテンツデータ記録再生方法に関する。
【背景技術】
【０００２】
近年、外出時にも録画したテレビジョン番組を見たいという要望に応えるために、携帯型の画像コンテンツ再生装置や録画再生装置（以下、携帯型記録再生装置とも言う）が登場している。携帯型記録再生装置は、携帯性を良くするために可能な限り質量を軽くすることが望ましく、テレビジョン放送を受信する、チューナー部が搭載されていない場合が多い。この場合、携帯型記録再生装置は、チューナー部が搭載されている据置型記録再生装置から、テレビジョン番組のデータを取得して、携帯型記録再生装置の記録媒体に記録する。また、携帯型記録再生装置は、携帯性を良くするため、携帯型記録再生装置に内蔵又は装着される記録媒体の記録容量は、据置型記録再生装置に内蔵又は装着される記録媒体の記録容量より小さい。このような携帯型記録再生装置が下記の非特許文献１に開示されている。一方、ＢＳ（Broadcasting Satellite）デジタル放送や地上波デジタル放送は、著作権を保護するために、１回のみのコピーが可能なコピー制限が施された番組の放送である。このような状況において、据置型記録再生装置に記録されたテレビジョン番組を携帯型記録再生装置で見たい場合には、見たいテレビジョン番組を携帯型記録再生装置に記録するとともに、据置型記録再生装置側に記録されていたテレビジョン番組を消去する必要がある。
【非特許文献１】http://www.archos.com/products/prw_500664.html
【発明の開示】
【発明が解決しようとする課題】
【０００３】
しかしながら、携帯型記録再生装置は、上述したように、携帯性を有するため、記録媒体の記録容量が小さく、複数のテレビジョン番組を記録しておくことは困難である。そこで、携帯型記録再生装置で視聴されたテレビジョン番組を保存しておきたい場合には、据置型記録再生装置へ視聴後のテレビジョン番組を移動させ、据置型記録再生装置の記録媒体へ記録させる必要がある。しかしながら、テレビジョン番組を移動させるために、ユーザは、メニューを表示させ、表示されたメニューから記録番組の一覧表を表示させ、表示された一覧表から移動させたい番組を選択し、決定するという複数回の操作を実行する必要があり、操作が面倒であるという問題があった。
【０００４】
本発明は、上記問題を解決するためのものであり、一方の装置側で視聴されたテレビジョン番組などのコンテンツデータを複数の面倒な操作を必要とせずに他方の装置側へ移動させることができるコンテンツデータ記録再生システム及びコンテンツデータ記録再生方法を提供することを目的とする。
【課題を解決するための手段】
【０００５】
上記目的を達成するために、本発明によれば、第１の記録再生装置に受信されたコンテンツデータを第２の記録再生装置のあらかじめ決められた所定の記録領域に移動する際、前記第１の記録再生装置が、前記コンテンツデータが前記第２の記録再生装置で再生された後再び、再生された前記コンテンツデータを前記第１の記録再生装置へ移動するか否かのいずれかを示すコンテンツ管理情報を前記コンテンツデータに付加し、前記第２の記録再生装置が、前記第１の記録再生装置から受信した前記コンテンツデータを所定の時間再生した後、再生後の前記コンテンツデータは視聴済みであることを示す情報を、受信した前記コンテンツ管理情報に付加し、前記第１の記録再生装置が、前記第２の記録再生装置から受信した視聴済みであることを示す情報が付加された前記コンテンツ管理情報に基づいて、前記第２の記録再生装置に記録されている視聴済み、かつ前記第１の記録再生装置へ移動することを示す情報が付加された前記コンテンツデータを前記第２の記録再生装置から取得するコンテンツデータ記録再生システムが提供される。
【０００６】
また、本発明によれば、第１の記録再生装置に受信されたコンテンツデータを第２の記録再生装置のあらかじめ決められた所定の記録領域に移動する際、前記第１の記録再生装置が、前記コンテンツデータが前記第２の記録再生装置で再生された後再び、再生された前記コンテンツデータを前記第１の記録再生装置へ移動するか否かのいずれかを示すコンテンツ管理情報を前記コンテンツデータに付加するステップと、前記第２の記録再生装置が、前記第１の記録再生装置から受信した前記コンテンツデータを所定の時間再生した後、再生後の前記コンテンツデータは視聴済みであることを示す情報を、受信した前記コンテンツ管理情報に付加するステップと、前記第１の記録再生装置が、前記第２の記録再生装置から受信した視聴済みであることを示す情報が付加された前記コンテンツ管理情報に基づいて、前記第２の記録再生装置に記録されている視聴済み、かつ前記第１の記録再生装置へ移動することを示す情報が付加された前記コンテンツデータを前記第２の記録再生装置から取得するステップとを有するコンテンツデータ記録再生方法が提供される。
【発明の効果】
【０００７】
本発明のコンテンツデータ記録再生システム及びコンテンツデータ記録再生方法は、上記構成を有し、一方の装置側で視聴されたテレビジョン番組などのコンテンツデータを複数の面倒な操作を必要とせずに他方の装置側へ移動させることができる。
【発明を実施するための最良の形態】
【０００８】
＜第１の実施の形態＞
以下、本発明の第１の実施の形態について図１から図５を用いて説明する。図１は本発明の第１の実施の形態に係るコンテンツデータ記録再生システムの構成を示す構成図である。図２は本発明の第１の実施の形態に係るコンテンツデータ記録再生システムにおけるテレビジョン放送番組欄を示す図である。図３は本発明の第１の実施の形態に係るコンテンツデータ記録再生システムにおける据置型記録再生装置に内蔵又は装着されている記録媒体に記録されているテレビジョン番組の番組予約リストの一例を示す図である。図４は本発明の第１の実施の形態に係るコンテンツデータ記録再生システムにおける携帯型記録再生装置に内蔵又は装着されている記録媒体に記録されているテレビジョン番組の記録番組リストの一例を示す図である。図５は本発明の第１の実施の形態に係るコンテンツデータ記録再生システムにおけるコンテンツデータの記録再生のフローについて説明するためのフローチャートである。
【０００９】
まず、本発明の第１の実施の形態に係るコンテンツデータ記録再生システムについて図１を用いて説明する。図１に示すように、コンテンツデータ記録再生システムは、据置型記録再生装置１００と携帯型記録再生装置２００とから構成され、据置型記録再生装置１００と携帯型記録再生装置２００とは、デジタルインタフェースケーブル３を介して接続されている。まず、据置型記録再生装置１００について説明する。据置型記録再生装置１００は、制御部１０１、ＲＯＭ１０２、ＲＡＭ１０３、操作部１０４、テレビチューナー部１０５、信号処理部１０６、ハードディスクドライブ１０７、メディアドライバ１０８、デジタルインタフェース１０９、デジタルインタフェースコネクタ１１１から構成され、それぞれデータバス１１０によってつながれている。また、テレビチューナー部１０５は、アンテナ部１を有している。また、信号処理部１０６は、ビデオ出力端子１１２及びオーディオ出力端子１１３とつながっている。
【００１０】
制御部１０１は、例えばマイクロコンピュータを備えており、据置型記録再生装置１００の各構成要素に対して制御を行う。ＲＯＭ１０２には、制御部１０１が実行すべきプログラムや初期設定データなどが格納されている。ＲＡＭ１０３には、制御部１０１が各種処理を実行する際に参照するデータや、制御部１０１が処理過程において生成したデータなどが格納される。操作部１０４は、例えば据置型記録再生装置１００に対して処理を実行させるための処理信号をユーザに入力させるものであり、操作スイッチなどから成っている。上述した制御部１０１は、操作部１０４から入力された処理信号に対応する処理を実行する。
【００１１】
テレビチューナー部１０５は、アンテナ部１によって受信された電波が入力されるものであり、制御部１０１によって設定されたチャンネルの電波を受信して信号処理部１０６へ出力する。例えば設定されたチャンネルが地上波アナログ放送の場合、テレビチューナー部１０５からはアナログビデオ信号とアナログオーディオ信号とが、また、例えば設定されたチャンネルがＢＳデジタル放送の場合、テレビチューナー部１０５からは圧縮されたデジタルデータストリームが出力される。なお、据置型記録再生装置１００はテレビチューナー部１０５として、地上波アナログ放送チューナー、地上波デジタル放送チューナー、ＢＳアナログ放送チューナー、ＢＳデジタル放送チューナー、ＣＳ（Communication Satellite）デジタル放送チューナーの少なくとも１つ以上のチューナーを有している。
【００１２】
信号処理部１０６は、入力された信号がアナログビデオ信号及びアナログオーディオ信号の場合、不図示のアナログ／デジタル変換回路によってアナログビデオ信号及びアナログオーディオ信号をデジタル信号に変換した後に、不図示の所定の符号化回路によって圧縮データストリームに変換し、データバス１１０に出力する。また、入力された信号が圧縮デジタルデータストリームの場合、信号処理部１０６は、そのままの形態で、あるいは制御部１０１の設定に応じて、圧縮率を変更したり、符号化方式を変更してデータバス１１０に出力する。制御部１０１の設定は、例えば操作部１０４によってユーザから設定されるものである。
【００１３】
制御部１０１からハードディスクドライブ１０７又はメディアドライバ１０８に記録命令がなされた場合、ハードディスクドライブ１０７又はメディアドライバ１０８は、データバス１１０からデータストリーム（後述するテレビジョン番組のデータなどに相当）を入手し不図示の記録媒体に記録する。ここで、記録媒体は、少なくとも大容量の機器内蔵ＨＤＤ又は可搬型の大容量光ディスク（例えば、ＤＶＤ−ＲＡＭ、ＤＶＤ−ＲＷ、ＤＶＤ＋ＲＷなど）などであり、また、ＨＤＤと可搬型の大容量光ディスクとのコンビネーションや、ＨＤＤとＶＴＲとのコンビネーションなども考えられる。
【００１４】
また、図１において、メディアドライバ１０８が取り扱うメディアをＤＶＤメディア２としているが、これに限られるものではなく、半導体メモリカードやカセットテープメディアなども考えられる。ハードディスクドライブ１０７又はメディアドライバ１０８に対して制御部１０１から再生の命令が実行された場合、ハードディスクドライブ１０７又はメディアドライバ１０８は、記録媒体から所定のデータストリームを再生し、データバス１１０を経由して信号処理部１０６や必要に応じてデジタルインタフェース１０９に出力する。
【００１５】
信号処理部１０６では、再生された圧縮デジタルデータストリームを所定の復号方式で復号し、不図示のデジタル／アナログ変換回路においてアナログビデオ信号に変換し、ビデオ出力端子１１２から出力するとともに、アナログオーディオ信号に変換し、オーディオ出力端子１１３から出力する。また、デジタルインタフェース１０９は、制御部１０１からデータの出力命令を受けると、データバス１１０を介して入力されるデータストリームをデジタルインタフェースコネクタ１１１を介して外部（携帯型記録再生装置２００）に出力する。ここで、デジタルインタフェース１０９は、例えば、ＩＥＥＥ１３９４やＵＳＢ（Universal Serial Bus）などのデジタルインタフェースである。上述した据置型記録再生装置１００は、テレビジョン番組の予約録画設定が容易に行えるように、電子番組ガイド対応であることが望ましい。
【００１６】
次に、携帯型記録再生装置２００について説明する。携帯型記録再生装置２００は、制御部２０１、ＲＯＭ２０２、ＲＡＭ２０３、操作部２０４、表示部２０５、信号処理部２０６、ハードディスクドライブ２０７、メディアドライバ２０８、デジタルインタフェース２０９、デジタルインタフェースコネクタ２１１から構成され、それぞれデータバス２１０によってつながれている。また、信号処理部２０６は、オーディオ出力端子２１２とつながっている。
【００１７】
制御部２０１は、例えばマイクロコンピュータを備えており、携帯型記録再生装置２００の各構成要素に対して制御を行う。ＲＯＭ２０２には、制御部２０１が実行すべきプログラムや初期設定データなどが格納されている。ＲＡＭ２０３には、制御部２０１が各種処理を実行する際に参照するデータや、制御部２０１が処理過程において生成したデータなどが格納される。操作部２０４は、例えば携帯型記録再生装置２００に対して処理を実行させるための処理信号をユーザに入力させるものであり、操作スイッチなどから成っている。制御部２０１は、操作部２０４から入力された処理信号に対応する処理を実行する。例えば、制御部２０１は、操作部２０４の操作によって再生命令が入力された場合、ハードディスクドライブ２０７又はメディアドライバ２０８に対して再生を指示する。指示を受けたハードディスクドライブ２０７又はメディアドライバ２０８は、不図示の記憶媒体から所定の圧縮デジタルデータストリームを読み出し、データバス２１０を経由して信号処理部２０６に出力する。
【００１８】
信号処理部２０６は、受け取った圧縮デジタルデータストリームを不図示の復号回路によって、非圧縮のデジタルビデオデータとデジタルオーディオデータとに変換する。再生非圧縮ビデオデータは、データバス２１０を経由して表示部２０５に出力され、表示部２０５に再生ビデオ映像が表示される。表示手段としては、例えばＬＣＤ（Liquid Crystal Display）などが考えられる。また、再生された非圧縮のデジタルオーディオデータは、通常、不図示のデジタル／アナログ変換回路によってアナログ信号に変換され、オーディオ出力端子２１２から出力される。
【００１９】
メディアドライバ２０８は、メモリカード４を取り扱う例を示しているが、これに限られるものではなく、他の媒体として、例えば可搬型のハードディスクや光ディスクなども考えられる。このように構成されたコンテンツデータ記録再生システムでは、据置型記録再生装置１００は、デジタルインタフェースケーブル３を介して携帯型記録再生装置２００へ記録命令と記録すべきデジタルデータストリームを出力し、携帯型記録再生装置２００は、受信するデジタルデータストリームを記録媒体に記録するように動作する。
【００２０】
ここで、記録媒体は、少なくとも内蔵型のＨＤＤ、可搬型のＨＤＤ、又は可搬型の半導体メモリカードなど１つ以上のものである。また、デジタルインタフェース２０９は、据置型記録再生装置１００から送信されたデータストリームなどをデジタルインタフェースコネクタ２１１を介して受信する。ここで、デジタルインタフェース２０９は、例えば、ＩＥＥＥ１３９４やＵＳＢなどのデジタルインタフェースである。なお、上述した携帯型記録再生装置２００は、再生されるテレビジョン番組（データストリーム）を視聴するための小型スピーカ、ヘッドホンアンプ及び端子、ＬＣＤなどの小型表示手段を搭載している。
【００２１】
ここで、携帯型記録再生装置２００は、通常ユーザが外出時、例えば通勤電車内、通勤電車を待っている間のプラットホーム、会社の昼休み時間などにあらかじめ記録しておいたテレビジョン番組を視聴するために用いられる。このことから、据置型記録再生装置１００には、据置型記録再生装置１００への番組予約に加え、携帯型記録再生装置２００に記録したい番組の予約機能を追加する。
【００２２】
番組予約の設定方法は、従来の据置型記録再生装置における番組予約に対してわずかな機能の追加を行うのみでよい。例えば、据置型記録再生装置１００が電子番組ガイドに対応している場合には、電子番組ガイドから入手した図２に示すようなテレビジョン放送番組欄をディスプレイなどの不図示の表示手段に表示させ、携帯型記録再生装置２００に記録したい番組を操作部１０４を操作して選択する。選択が完了すると次に番組予約リストが表示される。表示される番組予約リストは、操作部１０４に入力される選択により、例えば制御部１０１が生成する。
【００２３】
第１の実施の形態では、番組予約リストに、例えば図３のような「本体」、「外部（視聴後に）戻す」、「外部（視聴後に）戻さない」のような選択欄を設け、ユーザがテレビジョン番組の記録先を選択できるようにするとともに、「外部（視聴後に）戻す」又は「外部（視聴後に）戻さない」のように、外部、すなわち携帯型記録再生装置２００に記録先を選択した場合には、視聴後に本体、すなわち据置型記録再生装置１００にテレビジョン番組のデータを戻す（移動する）、戻さない（移動しない）の設定を行えるようにする。図３の例では、番組名「ミュージックステージ」は、外部、すなわち携帯型記録再生装置２００に記録するとともに、視聴後に据置型記録再生装置１００にテレビジョン番組のデータを戻す（移動する）設定であることを示している。
【００２４】
「本体」を選択した場合には、据置型記録再生装置１００の、例えば内蔵ＨＤＤに記録される。一方、「外部（視聴後に）戻す」又は「外部（視聴後に）戻さない」を選択した場合には、携帯型記録再生装置２００の、例えば内蔵ＨＤＤに自動録画される。また、夜間などに据置型記録再生装置１００と携帯型記録再生装置２００とをデジタルインタフェースケーブル３を介して接続しておくことにより、据置型記録再生装置１００は、携帯型記録再生装置２００に記録したい所望のテレビジョン番組が放送開始されると、携帯型記録再生装置２００に対して、所定の形式の番組データと、少なくとも視聴後に据置型記録再生装置１００に戻す、又は戻さないの管理データを含む番組の管理データを出力し、所望のテレビジョン番組が放送終了されると、携帯型記録再生装置２００に対してデジタルインタフェースケーブル３を介して記録終了の信号を出力する。
【００２５】
また、ユーザが携帯型記録再生装置２００を持って外出している場合などで、据置型記録再生装置１００と携帯型記録再生装置２００とがデジタルインタフェースケーブル３を介して接続されていない状態のときに、携帯型記録再生装置２００に記録したいテレビジョン番組が放送される場合は、いったん、据置型記録再生装置１００の、例えば内蔵ＨＤＤに番組データ及び番組の管理データを記録しておく。その後、据置型記録再生装置１００は、デジタルインタフェースケーブル３を介して携帯型記録再生装置２００が接続されたことを検出した時点で、携帯型記録再生装置２００に対してデジタルインタフェースケーブル３を介して、記録開始の命令と据置型記録再生装置１００の、例えば内蔵ＨＤＤにいったん記録しておいた所望のテレビジョン番組データと番組の管理データとを出力する。所望のテレビジョン番組データの出力が終了した時点で、据置型記録再生装置１００は、記録終了の命令をデジタルインタフェースケーブル３を介して携帯型記録再生装置２００に出力するとともに、据置型記録再生装置１００の、例えば内蔵ＨＤＤにいったん記録されたテレビジョン番組データと番組の管理データとを消去する。
【００２６】
据置型記録再生装置１００は、携帯型記録再生装置２００に記録するテレビジョン番組がアナログ信号の形式で入力される場合には、不図示のアナログ／デジタル変換回路によってデジタル信号に変換した後に、所定の符号化方式によって所定の圧縮率で圧縮したデジタルデータの形式で出力する。また、据置型記録再生装置１００は、携帯型記録再生装置２００に記録するテレビジョン番組が圧縮デジタル信号の形式で入力される場合には、入力された形式のまま、あるいは必要に応じて圧縮率を変更して、更には必要に応じて符号化方式を変更して出力する。符号化方式や圧縮率の設定は、通常、ユーザが設定画面を参照し、記録時間や画質などを考慮しながら、据置型記録再生装置１００の操作部１０４や不図示のリモートコントローラの所定の操作スイッチを操作して行うように構成されている。
【００２７】
また、携帯型記録再生装置２００においてテレビジョン番組データが視聴され、視聴後に本体、すなわち据置型記録再生装置１００に視聴後のテレビジョン番組データが戻される場合について説明する。ここでの視聴後とは、テレビジョン番組データ全体が再生（視聴）された場合だけでなく、所定の時間（例えば１０分）、再生（視聴）された場合も含むものを言う。据置型記録再生装置１００は、携帯型記録再生装置２００がデジタルインタフェースケーブル３を介して接続された場合に、携帯型記録再生装置２００に対して携帯型記録再生装置２００に内蔵又は装着されている記録媒体に記録されているテレビジョン番組の管理データを要求し、取得する。ここで、携帯型記録再生装置２００に内蔵又は装着されている記録媒体に記録されているテレビジョン番組の記録番組リストの一例を図４に示す。図４の例では、番組名「ミュージックステージ」は、視聴済み、かつ本体（据置型記録再生装置１００）に戻すことになっている。
【００２８】
図４の例の場合、据置型記録再生装置１００は、携帯型記録再生装置２００がデジタルインタフェースケーブル３を介して接続されたことを検出した場合に、携帯型記録再生装置２００に対して、携帯型記録再生装置２００に内蔵又は装着されている記録媒体に記録されているテレビジョン番組の管理データを要求し、取得する。据置型記録再生装置１００は、番組名「ミュージックステージ」が視聴済みで、かつ本体（据置型記録再生装置１００）に戻されることになっていることを認識し、携帯型記録再生装置２００に対して、番組名「ミュージックステージ」のデータを要求し取得するとともに、据置型記録再生装置１００に内蔵されている、あるいは据置型記録再生装置１００に装着されている記録媒体に番組名「ミュージックステージ」のデータを記録する。その後、携帯型記録再生装置２００は、自身に記録されていた番組名「ミュージックステージ」のデータ及び番組の管理データを消去する。
【００２９】
なお、上記説明において、デジタルインタフェースケーブル３は、複数のワイヤーで電気的に接続されるものが考えられるが、これに限られるものではなく、例えば、ＩＥＥＥ８０２．１１ａ規格、ＩＥＥＥ８０２．１１ｂ規格、ＩＥＥＥ８０２．１１ｇ規格などのワイヤレスＬＡＮを使用してもよい。また、ユーザが行う一連の設定操作は、例えば図８に示すような操作スイッチを使用して行われる。
【００３０】
ここで、本発明の第１の実施の形態に係るコンテンツデータ記録再生システムにおけるコンテンツデータの記録再生のフローについて図５を用いて説明する。図５に示すように、据置型記録再生装置１００は、図２に示すようなテレビジョン番組欄をアンテナ部１などを介して受信し、不図示のテレビなどの表示手段に表示する（ステップＳ５０１）。据置型記録再生装置１００は、ユーザが視聴したい番組の録画予約を操作部１０４などを介して受信し、受信した録画予約に基づいて番組予約リストを生成する（ステップＳ５０２）。据置型記録再生装置１００は、アンテナ部１を介して記録すべきテレビジョン番組を受信し、受信したテレビジョン番組を本体（据置型記録再生装置１００）に記録するか否かを番組予約リストに基づいて判断する（ステップＳ５０３）。据置型記録再生装置１００は、受信したテレビジョン番組が携帯型記録再生装置２００に記録されるものであると判断すると、受信したテレビジョン番組のデータ及び番組の管理データを携帯型記録再生装置２００へ送信する（ステップＳ５０４）。
【００３１】
据置型記録再生装置１００は、携帯型記録再生装置２００と再度接続された際、携帯型記録再生装置２００に番組の管理データの取得要求をし、番組の管理データを取得する（ステップＳ５０５）。据置型記録再生装置１００は、取得した番組の管理データに基づいて、携帯型記録再生装置２００で視聴されたテレビジョン番組のうち、視聴後に据置型記録再生装置１００に戻すべきテレビジョン番組があるか否かを判断する（ステップＳ５０６）。視聴後に据置型記録再生装置１００に戻すべきテレビジョン番組がある場合、据置型記録再生装置１００は、据置型記録再生装置１００に戻すべきテレビジョン番組のデータを携帯型記録再生装置２００に要求し、取得し、据置型記録再生装置１００の記録媒体に記録する（ステップＳ５０７）。携帯型記録再生装置２００は、自身の記録媒体に記録されていたテレビジョン番組のデータ及び番組の管理データを消去する（ステップＳ５０８）。なお、ステップＳ５０３において、据置型記録再生装置１００が、受信したテレビジョン番組が携帯型記録再生装置２００に記録されるものでないと判断すると、自身の記録媒体に記録する（ステップＳ５０９）。
【００３２】
＜第２の実施の形態＞
次に、本発明の第２の実施の形態に係るコンテンツデータ記録再生システムについて説明する。本発明の第２の実施の形態に係るコンテンツデータ記録再生システムの構成は、第１の実施の形態のコンテンツデータ記録再生システムの構成と同様であり、各構成要素の据置型記録再生装置や携帯型記録再生装置の構成及び機能も基本的に第１の実施の形態と同様であるため、第２の実施の形態に係るコンテンツデータ記録再生システムの構成については説明を省略する。第２の実施の形態に係るコンテンツデータ記録再生システムは、すでに据置型記録再生装置に内蔵又は装着されている記録媒体に記録されているテレビジョン番組を、携帯型記録再生装置に移動するというものである。すなわち、第１の実施の形態のように、テレビジョン番組を予約する際に、携帯型記録再生装置２００に移動したテレビジョン番組を本体（据置型記録再生装置１００）に戻す、戻さないの選択をせずに、いったんテレビジョン番組を据置型記録再生装置１００に記録してしまい、その後に戻す、戻さないの選択をするものである。なお、第２〜４の実施の形態における各構成要素に付される符号は、第１の実施の形態の対応する構成要素に付された符号と同一のものを用いる。
【００３３】
ユーザは、据置型記録再生装置１００に記録されているテレビジョン番組のデータを携帯型記録再生装置２００に移動させたい場合、携帯型記録再生装置２００をデジタルインタフェースケーブル３を介して据置型記録再生装置１００に接続する。ユーザは、据置型記録再生装置１００の操作部１０４又は不図示のリモートコントローラを操作して、据置型記録再生装置１００の記録媒体に記録されているテレビジョン番組のリストを不図示の表示手段（テレビ画面など）に表示させる。図６に据置型記録再生装置１００に記録されているテレビジョン番組の記録番組リストの一例を示す。
【００３４】
例えば、図６の記録番組リストの中から、まだ視聴していない番組名「横浜ラブストーリー」のデータを携帯型記録再生装置２００に記録させ、通勤時や休み時間などに視聴しようとする場合には、ユーザは、例えば図８に示すような操作スイッチを使用して「横浜ラブストーリー」の欄を選択する。「横浜ラブストーリー」の欄が選択されると、次に図７に示すような表示が表示手段に表示される。すなわち、据置型記録再生装置１００は、「横浜ラブストーリー」を再生するのか、削除するのか、外部（携帯型記録再生装置２００）に移動させ視聴後に据置型記録再生装置１００へ戻すのか、あるいは外部（携帯型記録再生装置２００）に移動させ視聴後であっても据置型記録再生装置１００に戻さないのか、の４通りの選択肢をユーザに促す。
【００３５】
ユーザがテレビジョン番組のデータを外部（携帯型記録再生装置２００）に移動させ、視聴後に据置型記録再生装置１００に戻すという選択をした場合、据置型記録再生装置１００は、デジタルインタフェースケーブル３を介して携帯型記録再生装置２００に対して「横浜ラブストーリー」の記録命令、「横浜ラブストーリー」のデータ、携帯型記録再生装置２００で視聴された後に据置型記録再生装置１００に「横浜ラブストーリー」のデータを戻す旨の管理データを出力し、携帯型記録再生装置２００に「横浜ラブストーリー」のデータと管理データとを記録させる。
【００３６】
一方、ユーザがテレビジョン番組のデータを外部（携帯型記録再生装置２００）に移動させ、視聴後に据置型記録再生装置１００に戻さないという選択をした場合、据置型記録再生装置１００は、デジタルインタフェースケーブル３を介して携帯型記録再生装置２００に対して「横浜ラブストーリー」の記録命令、「横浜ラブストーリー」のデータ、携帯型記録再生装置２００で視聴された後に据置型記録再生装置１００に「横浜ラブストーリー」のデータを戻さない旨の管理データを出力し、携帯型記録再生装置２００に「横浜ラブストーリー」のデータと管理データとを記録させる。なお、ユーザが行う一連の設定操作は、例えば図８に示すような操作スイッチを使用して行われる。
【００３７】
＜第３の実施の形態＞
次に、本発明の第３の実施の形態に係るコンテンツデータ記録再生システムについて説明する。本発明の第３の実施の形態に係るコンテンツデータ記録再生システムの構成は、第１の実施の形態のコンテンツデータ記録再生システムの構成と同様であり、各構成要素の据置型記録再生装置や携帯型記録再生装置の構成及び機能も基本的に第１の実施の形態と同様であるため、第３の実施の形態に係るコンテンツデータ記録再生システムの構成については説明を省略する。上述した第１及び第２の実施の形態では、携帯型記録再生装置２００でテレビジョン番組を視聴後に、テレビジョン番組のデータを据置型記録再生装置１００に戻す、又は戻さないの設定を据置型記録再生装置１００で行っていた。第３の実施の形態では、携帯型記録再生装置２００の記録媒体に記録されているテレビジョン番組のデータを据置型記録再生装置１００に戻す、又は戻さないの設定を携帯型記録再生装置２００で行う。
【００３８】
なお、テレビジョン番組のデータを携帯型記録再生装置２００の記録媒体に記録するまでの処理は、第１の実施の形態のように、携帯型記録再生装置２００が、据置型記録再生装置１００によって受信されたテレビジョン番組をデジタルインタフェースケーブル３を介して受信し、受信されたテレビジョン番組のデータを携帯型記録再生装置２００の記録媒体に記録するようにしてもよい。ユーザが携帯型記録再生装置２００の操作部２０４を操作して、携帯型記録再生装置２００の記録媒体に記録されているテレビジョン番組のリストを携帯型記録再生装置２００の表示部２０５に表示させる。図９に携帯型記録再生装置２００に記録されているテレビジョン番組の記録番組リストの一例を示す。
【００３９】
図９において、ユーザが、例えばまだ視聴していない２００４年２月２４日付けの番組名「世界のビジネスサテライト」を視聴しようとする場合、ユーザは、２００４年２月２４日付けの番組名「世界のビジネスサテライト」を選択する。ユーザによって番組が選択された場合、携帯型記録再生装置２００は、図１０に示すような表示を表示部２０５にする。ユーザが図１０の「再生する」を選択することにより、２００４年２月２４日付けの番組名「世界のビジネスサテライト」の再生が行われる。
【００４０】
ユーザがテレビジョン番組を終了まで再生、又は所定の期間（例えば１０分間）視聴後に再生を停止した時点で、携帯型記録再生装置２００は、２００４年２月２４日付けの番組名「世界のビジネスサテライト」を視聴済みとし、図１１に示すような表示を表示部２０５にし、ユーザに対してテレビジョン番組を「削除する」か、「保存する」か、「据置型記録再生装置に移動する」かの選択をさせる。ユーザは、テレビジョン番組を据置型記録再生装置１００に移動させ、据置型記録再生装置１００に保存しておきたい場合には、図１１の「据置型記録再生装置に移動する」を選択する。携帯型記録再生装置２００は、このような選択に応じて、２００４年２月２４日付けの番組名「世界のビジネスサテライト」の移動の旨のデータを記録する。なお、ユーザが行う一連の設定操作は、例えば図８に示すような操作スイッチを使用して行われる。
【００４１】
＜第４の実施の形態＞
次に、本発明の第４の実施の形態に係るコンテンツデータ記録再生システムについて説明する。本発明の第４の実施の形態に係るコンテンツデータ記録再生システムの構成は、第１の実施の形態のコンテンツデータ記録再生システムの構成と同様であり、各構成要素の据置型記録再生装置や携帯型記録再生装置の構成及び機能も基本的に第１の実施の形態と同様であるため、第４の実施の形態に係るコンテンツデータ記録再生システムの構成については説明を省略する。
【００４２】
上述した第１の実施の形態では、携帯型記録再生装置２００が据置型記録再生装置１００にデジタルインタフェースケーブル３を介して接続された時点で、据置型記録再生装置１００が携帯型記録再生装置２００の記録媒体に記録されているテレビジョン番組の管理データを本体（据置型記録再生装置１００）に戻させ、その管理データに基づいて、テレビジョン番組のデータを携帯型記録再生装置２００から据置型記録再生装置１００に移動させるものであった。この一連の制御は、据置型記録再生装置１００が主体になって行っている。第４の実施の形態は、この一連の制御の主体を携帯型記録再生装置２００とするものである。
【００４３】
携帯型記録再生装置２００は、デジタルインタフェースケーブル３を介して、据置型記録再生装置１００に接続されたことを検出した時点で、携帯型記録再生装置２００に内蔵又は装着されている記録媒体に記録されているテレビジョン番組の管理データを読み出す。そして、携帯型記録再生装置２００は、読み出した管理データに基づいて、視聴済み、かつ本体（据置型記録再生装置１００）にテレビジョン番組のデータを戻すとなっているテレビジョン番組が管理データに存在する場合に、デジタルインタフェースケーブル３を介して、視聴済み、かつ本体（据置型記録再生装置１００）に戻すことになっているテレビジョン番組のデータ、番組の管理データ、テレビジョン番組のデータ及び番組の管理データの記録命令を据置型記録再生装置１００に出力する。さらに、携帯型記録再生装置２００は、携帯型記録再生装置２００の記録媒体に記録されている視聴済み、かつ本体（据置型記録再生装置１００）に戻すことになっているテレビジョン番組のデータと番組の管理データとを消去する。
【００４４】
上述の４つの態様の説明では、取り扱うコンテンツをアンテナ部１を経由して、テレビチューナー部１０５で受信されるテレビジョン番組としたが、これに限られるものではなく、例えば不図示のビデオ／オーディオ入力端子、デジタルインタフェース１０９、メディアドライバ１０８に装着される可搬型の記録媒体などから入力される少なくとも画像情報を含むコンテンツであってもよい。
【産業上の利用可能性】
【００４５】
本発明に係るコンテンツデータ記録再生システム及びコンテンツデータ記録再生方法は、一方の装置側で視聴されたテレビジョン番組などのコンテンツデータを複数の面倒な操作を必要とせずに他方の装置側へ移動させることができるため、テレビジョン番組などのコンテンツデータを受信する第１の記録再生装置と、第１の記録再生装置を介してコンテンツデータを取得する第２の記録再生装置とからなるコンテンツデータ記録再生システム及びコンテンツデータ記録再生方法などに有用である。
【図面の簡単な説明】
【００４６】
【図１】本発明の第１の実施の形態に係るコンテンツデータ記録再生システムの構成を示す構成図である。
【図２】本発明の第１の実施の形態に係るコンテンツデータ記録再生システムにおけるテレビジョン放送番組欄を示す図である。
【図３】本発明の第１の実施の形態に係るコンテンツデータ記録再生システムにおける据置型記録再生装置に内蔵又は装着されている記録媒体に記録されているテレビジョン番組の番組予約リストの一例を示す図である。
【図４】本発明の第１の実施の形態に係るコンテンツデータ記録再生システムにおける携帯型記録再生装置に内蔵又は装着されている記録媒体に記録されているテレビジョン番組の記録番組リストの一例を示す図である。
【図５】本発明の第１の実施の形態に係るコンテンツデータ記録再生システムにおけるコンテンツデータの記録再生のフローについて説明するためのフローチャートである。
【図６】本発明の第２の実施の形態に係るコンテンツデータ記録再生システムにおける据置型記録再生装置に記録されているテレビジョン番組の記録番組リストの一例を示す図である。
【図７】本発明の第２の実施の形態に係るコンテンツデータ記録再生システムにおける操作スイッチを使用して番組を選択した際の表示を示す図である。
【図８】本発明の第１から第４の実施の形態に係るコンテンツデータ記録再生システムにおける操作スイッチを示す図である。
【図９】本発明の第３の実施の形態に係るコンテンツデータ記録再生システムにおける携帯型記録再生装置に記録されているテレビジョン番組の記録番組リストの一例を示す図である。
【図１０】本発明の第３の実施の形態に係るコンテンツデータ記録再生システムにおける操作スイッチを使用して番組を選択した際の携帯型記録再生装置の表示部の表示を示す図である。
【図１１】本発明の第３の実施の形態に係るコンテンツデータ記録再生システムにおけるテレビジョン番組の視聴後の携帯型記録再生装置の表示部の表示を示す図である。
【符号の説明】
【００４７】
１  アンテナ部
２  ＤＶＤメディア
３  デジタルインタフェースケーブル
４  メモリカード
１００  据置型記録再生装置（第１の記録再生装置）
１０１、２０１  制御部
１０２、２０２  ＲＯＭ
１０３、２０３  ＲＡＭ
１０４、２０４  操作部
１０５  テレビチューナー部
１０６、２０６  信号処理部
１０７、２０７  ハードディスクドライブ
１０８、２０８  メディアドライバ
１０９、２０９  デジタルインタフェース
１１０、２１０  データバス
１１１、２１１  デジタルインタフェースコネクタ
１１２  ビデオ出力端子
１１３、２１２  オーディオ出力端子
２００  携帯型記録再生装置（第２の記録再生装置）
２０５  表示部
【図１】
2006107660.tif 000003
【図２】
2006107660.tif 000004
【図３】
2006107660.tif 000005
【図４】
2006107660.tif 000006
【図５】
2006107660.tif 000007
【図６】
2006107660.tif 000008
【図７】
2006107660.tif 000009
【図８】
2006107660.tif 000010
【図９】
2006107660.tif 000011
【図１０】
2006107660.tif 000012
【図１１】
2006107660.tif 000013